(57)【要約】【課題】不用意に飲料缶から外れることがなく、しかも、誰でも、無理なく、飲料缶から容易に取り外すことができる飲料缶用キャップを提供すること。【解決手段】飲料缶の上部に取り付けられる飲料缶用キャップであり、有蓋円筒状のキャップ主部と、キャップ主部の内面下部に設けられた、上部形状が異なる飲料缶のかしめ部にそれぞれ係合する第１係止部及び第２係止部と、キャップ主部の下部に形成された、キャップ主部の少なくとも下部の剛性を低下させる弱化部と、を備えて飲料缶用キャップを構成した。【選択図】図１
2015024860.tif 000002
【特許請求の範囲】
【請求項１】
飲料缶の上部に着脱自在に取り付けられる飲料缶用キャップであり、
有蓋円筒状のキャップ主部と、
前記キャップ主部の内面下部に設けられた、上部形状が異なる前記飲料缶のかしめ部にそれぞれ係合する第１係止部及び第２係止部と、
前記キャップ主部の下部に形成された、前記キャップ主部の少なくとも下部の剛性を低下させる弱化部と、
を備えたことを特徴とする飲料缶用キャップ。
【請求項２】
円筒形状の飲料缶と略同径の筒体部と、前記筒体部に連続して設けられた天井部とを有し、前記筒体部の下端面が開口した有蓋円筒状のキャップ主部と、
前記キャップ主部の下部内面から内側に突出した複数の第１係止部と、
前記第１係止部より上方に設けられ、前記キャップ主部の内面から前記第１係止部よりも内側に向かって高く突出して設けられた複数の第２係止部と、
前記キャップ主部の内面を部分的に内側に突出させ、前記キャップ主部の上端から前記第２係止部までそれぞれ延びた複数の肉厚部と、
前記キャップ主部の下部に設けられ、前記キャップ主部の少なくとも下部の剛性を低下させる弱化部と、を備え、
蓋部の外周縁に環状のリブを有する飲料缶に、前記第１係止部と前記第２係止部のいずれかを係合させて取り付け、前記蓋部上に載置される景品を覆うことを特徴とする飲料缶用キャップ。
【請求項３】
前記弱化部は、前記キャップ主部の下縁から前記天井部に向けて形成された、前記キャップ主部の一部を切り欠く切欠きであることを特徴とする請求項１又は２に記載の飲料缶用キャップ。
【請求項４】
前記弱化部は、前記キャップ主部の下縁近傍に形成された、前記キャップ主部の厚み幅を薄くした薄肉部であることを特徴とする請求項１又は２に記載の飲料缶用キャップ。
【請求項５】
請求項１〜４のいずれかに記載された飲料缶用キャップと、内部に飲料水が収容され蓋部に載置された景品を包容するように前記飲料缶用キャップが着脱自在に嵌着された飲料缶とからなるキャップ付き飲料缶。
【発明の詳細な説明】
【技術分野】
【０００１】
本発明は、飲料水が充填された飲料缶の上部に着脱自在に取り付けられ、飲料缶の上部に載置された景品を覆う飲料缶用キャップ及びその飲料缶用キャップを用いてキャップ付き飲料缶に関する。
【背景技術】
【０００２】
近年、販売促進を目的として、例えばコーヒーなどの飲料水を入れた飲料缶の上部にキャップを取り付け、取り付けられたキャップの内側に景品を入れて販売することが実施されている。
【０００３】
飲料缶は、自動販売機等でも販売されることから、胴部の外径は略統一されている。ところが、飲料缶の上端部には、種々の形状が用いられている。例えば、蓋部の外径と底部の外径とを同一にしたもの、あるいは、蓋部の外径を底部の外径より小さくして、飲料缶どうしを積み重ねられるようにしたものなどがある。
【０００４】
一方、上端部の形状が異なるごとに飲料缶用キャップを用意するのは、コストがかかる。そのため、上端部の形状が異なっていても飲料缶に取り付けられるよう、飲料缶用キャップには、飲料缶に係合する係止部が２種類設けられてる。
【０００５】
又、飲料缶用キャップは、搬送中や店頭での陳列中において不用意に飲料缶から外れてしまわないよう、飲料缶に十分な強度で組み付ける必要がある。一方、飲料缶用キャップは、必要以上の強度で飲料缶に組み付けられていると、例えば、子供や力の弱い人では、キャップを取るのに手間がかかってしまう。
【先行技術文献】
【特許文献】
【０００６】
【特許文献１】特許第４２７９５７８号公報
【発明の概要】
【発明が解決しようとする課題】
【０００７】
本発明が解決しようとする課題は、不用意に飲料缶から外れることがなく、しかも、誰でも、無理なく、飲料缶から容易に取り外すことができる飲料缶用キャップ及びキャップ付き飲料缶を提供することである。
【課題を解決するための手段】
【０００８】
本発明は、飲料缶用キャップを、次のように構成した。
【０００９】
飲料缶の上部に取り付けられる飲料缶用キャップであり、有蓋円筒状のキャップ主部と、キャップ主部の内面下部に設けられ、上部形状が異なる飲料缶のかしめ部にそれぞれ係合する第１係止部及び第２係止部と、キャップ主部の下部に形成された、キャップ主部の少なくとも下部の剛性を低下させる弱化部と、を備えて飲料缶用キャップを構成した。
【００１０】
前記飲料缶用キャップと、内部に飲料水が収容され蓋部に載置された景品を包容するように飲料缶用キャップが着脱自在に嵌着された飲料缶とからキャップ付き飲料缶を構成した。
【発明の効果】
【００１１】
本発明によれば、飲料缶の上部の形状によらず所定の強度で飲料缶に組み付けられ、かつ、飲料缶から容易に取り外すことができる飲料缶用キャップ及びキャップ付き飲料缶を提供できる。
【図面の簡単な説明】
【００１２】
【図１】本発明の一実施形態にかかる飲料缶用キャップを示す側面図。
【図２】同飲料缶用キャップを示す底面図。
【図３】同飲料缶用キャップを示す断面図。
【図４】同飲料缶用キャップを示す斜視図。
【図５】飲料缶用キャップを備えた第１の飲料缶を示す断面側面図。
【図６】飲料缶用キャップを備えた第２の飲料缶を示す断面側面図。
【図７】他の実施形態にかかる飲料缶用キャップを示す斜視図。
【図８】同飲料缶用キャップを示す断面図。
【図９】飲料缶用キャップと飲料缶とを示す斜視図。
【発明を実施するための形態】
【００１３】
本発明の第１実施形態にかかる飲料缶用キャップを説明する。図１は、本発明の一実施形態にかかる飲料缶用キャップ１０を示す側面図である。図２は、飲料缶用キャップ１０を示す底面図である。図３は、飲料缶用キャップ１０を、飲料缶用キャップ１０の中心線を通る平面で断面した断面図である。
【００１４】
図４は、飲料缶用キャップ１０を、斜め下方から示す斜視図である。図５は、飲料缶用キャップ１０を飲料缶１００に組み付けた状態を示す断面側面図である。図６は、飲料缶用キャップ１０を飲料缶１３０に組み付けた状態を示す断面側面図である。
【００１５】
図７は、他の実施形態にかかる飲料缶用キャップ１１を示す斜視図である。図８は、飲料缶用キャップ１１を示す断面図である。図９は、飲料缶用キャップ１０と飲料缶１００とを個別に示す斜視図である。
【００１６】
飲料缶用キャップ１０は、図１に示すように、有蓋円筒状のキャップ主部１２と、第１係止部１４と、第２係止部１６と、肉厚部１８と、弱化部としての切込み部２０とを備えて構成されている。キャップ主部１２は、円筒状の筒体部２４と、筒体部２４の上端に設けられた天井部２６とを備えている。
【００１７】
図５に、飲料缶用キャップ１０を第１の飲料缶１００に取り付けた状態を示す。飲料缶用キャップ１０は、筒体部２４を飲料缶１００の上部に嵌めて組み付けられている。ここで、飲料缶用キャップ１０及び飲料缶１００等の上下について、飲料缶用キャップ１０を飲料缶１００に組み付けた状態で、天井部２６を上にして、筒体部２４の中心線Ａ(図１参照)を鉛直に配置したときを基準に定める。又、中心線Ａ以外の位置から中心線Ａに向かう方向を内方とし、その逆を外方とする。
【００１８】
まず、飲料缶１００について説明する。飲料缶１００は、第１の飲料缶体１０２を容器体とし、その内部に飲料水が充填されている。飲料缶体１０２は、円筒状の胴体部１０４と、胴体部１０４の上下に取り付けられた蓋板１０６及び底板１０８とを備えている。
【００１９】
胴体部１０４は、所定の外径を有し、上端部には、小径部１１０が形成されている。小径部１１０は、胴体部１０４の最大径部分より外径が細くくびれて形成された部分で、上下方向に所定の幅で形成されている。
【００２０】
蓋板１０６は、図９に示すように胴体部１０４の上側開口部に、かしめにより取り付けられている。蓋板１０６と胴体部１０４とのかしめ部分には、上端リブ１１２が周方向に沿って連続して形成されている。
【００２１】
又、蓋板１０６は、注出口１２６を有している。注出口１２６は、タブ１２７を上側に引き上げて蓋板１０６の下方に押込むことにより開放される。上端リブ１１２は、蓋板１０６の周縁に立ち上げてあり、上端リブ１１２で囲まれた内側が、特許請求の範囲でいう飲料缶１００の蓋部である。景品は、蓋部上に載置される。
【００２２】
底板１０８は、胴体部１０４の下側開口部に、かしめにより取り付けられている。かしめ部分には、下端リブ１１４が形成されている。胴体部１０４は、蓋板１０６と底板１０８とにより密閉され、これにより飲料缶１００の内部にコーヒー等の飲料水が封入される。
【００２３】
飲料缶１００は、例えば、胴体部１０４の外径Ｒ１が５２．８ｍｍ、小径部１１０の外径Ｒ２が５０．５ｍｍ、小径部１１０の高さ幅が約４ｍｍ、上端リブ１１２と下端リブ１１４の外径Ｒ３がそれぞれ５２．２ｍｍである。
【００２４】
次に、第２の飲料缶１３０について説明する。飲料缶１３０は、図６に示すように第２の飲料缶体１３２を容器体とし、内部に飲料水を封入している。飲料缶体１３２は、円筒状の胴体部１３４と、蓋板１３６と、底板とを備えている。胴体部１３４は、所定の外径を有し、更に、上端部が徐々に狭くなるように形成されている。
【００２５】
蓋板１３６は、胴体部１３４の上側開口部に、かしめにより取り付けてある。同様に、底板が、胴体部１３４の下側開口部に、かしめにより取り付けてある。飲料缶１３０の上端には上端リブ１４２が、下端には下端リブが設けられている。上端リブ１４２は、下端リブの内径と等しいか、それより若干小さい外径を有している。
【００２６】
飲料缶１３０は、上端部が狭く形成されている以外、飲料缶１００と同様な構成である。飲料缶１３０は、例えば、胴体部１３４の外径Ｒ４が５２．８ｍｍであり、上端リブ１４２の外径Ｒ５が４８．１ｍｍである。
【００２７】
次に、飲料缶用キャップ１０について説明する。飲料缶用キャップ１０は、例えば合成樹脂等による成形品で、上述したように、キャップ主部１２と、第１係止部１４と、第２係止部１６と、肉厚部１８と、弱化部としての切込み部２０とを備えている。
【００２８】
図１、図２に示すように、キャップ主部１２は、円筒状の筒体部２４と、平板状の天井部２６とを備え、筒体部２４の上部に天井部２６が、筒体部２４の中心線Ａに対して垂直に設けられている。飲料缶用キャップ１０は、所定の形状を保持し、内部に収納した景品を保護できる程度の適度な剛性を有している。
【００２９】
第１係止部１４は、筒体部２４の内面に、周方向に沿って６か所、均等な間隔で設けられている。第１係止部１４は、筒体部２４の周方向に沿った所定の長さと、上下方向に所定の幅を有し、筒体部２４の内側に所定の高さ突出している。第１係止部１４の高さは、飲料缶用キャップ１０を飲料缶１００に組み付けたとき、上端リブ１１２の下端に入り込み、上端リブ１１２に確実に係合する高さである。第１係止部１４は、キャップ主部１２の下縁２８の位置から若干上方に設けられている。
【００３０】
肉厚部１８は、筒体部２４の内面から筒体部２４の中心線に向かう方向に帯状に突出した部材で、所定の厚みを有している。肉厚部１８は、天井部２６から中心線Ａに対して平行に設けられ、筒体部２４の中心線Ａを中心として略４５度の挟み角度で設けられている。
【００３１】
肉厚部１８の下端には、第２係止部１６が設けられている。第２係止部１６は、第１係止部１４との間に、飲料缶１００の上端リブ１１２の縦方向の幅に等しいか、それより若干広い間隔をもって設けられている。
【００３２】
第２係止部１６は、第１係止部１４よりも、筒体部２４の内側に向かって高く突出している。第２係止部１６の高さは、飲料缶用キャップ１０を飲料缶１３０に組み付けると、上端リブ１４２の下端に確実にかかる高さである。
【００３３】
第１係止部１４、及び第２係止部１６は、前述したように、飲料缶１００の上端リブ１１２や飲料缶１３０の上端リブ１４２の下端に係合すると、飲料缶用キャップ１０が、所定の組付け強度で飲料缶１００等に取り付けられる。
【００３４】
ここで、所定の組付け強度とは、飲料缶１００に取り付けられた飲料缶用キャップ１０が、搬送中や店頭での陳列中において飲料缶用キャップ１０に加えられることが想定される程度の力では、飲料缶１００から不用意に外れない強さをいう。
【００３５】
切込み部２０は、筒体部２４の下縁２８に逆Ｕ字状に形成された切り欠きである。切込み部２０は、筒体部２４の下縁２８に沿って均等な間隔で３か所に設けられている。切込み部２０は、下縁２８から第１係止部１４までの高さ幅にほぼ等しい高さ幅と、その高さ幅の３／５程度の下縁２８に沿った方向の横幅とを有している。切込み部２０は、筒体部２４の下縁２８の近傍の剛性、例えば下縁２８を外方に広げる方向の強度を適宜弱化させている。
【００３６】
切込み部２０により、飲料缶用キャップ１０を外そうとしたとき、筒体部２４の下縁２８の近傍が適宜変形し、第１係止部１４等と上端リブ１１２等との係合が外される。これにより飲料缶用キャップ１０は、第１係止部１４や第２係止部１６が上端リブ１１２や上端リブ１４２の下端に深く入り込んでいても、飲料缶用キャップ１０を飲料缶１００等から無理なく取り外すことができる。
【００３７】
飲料缶用キャップ１０は、例えば、高さＨが約３６ｍｍ、外径Ｒが約５５ｍｍである。又、各第２係止部１６の内側先端部を結ぶ円の直径は、約４９ｍｍで、切込み部２０の高さ幅は約５ｍｍ、横幅は約３ｍｍである。
【００３８】
次に、飲料缶用キャップ１０の作用について説明する。景品を飲料缶１００の蓋部に載置して、飲料缶用キャップ１０を飲料缶１００に取り付けると、図５に示すように、第１係止部１４が上端リブ１１２の下側に係合する。第１係止部１４は、上端リブ１１２の下端に係合するのに十分な高さを有しているので、確実に飲料缶用キャップ１０が飲料缶１００に組み付けられる。尚、図５及び図６では、説明の都合上第１係止部１４と第２係止部１６とを共に断面して示す。
【００３９】
飲料缶用キャップ１０を飲料缶１００に取り付けると、飲料缶用キャップ１０の天井部２６の内面と飲料缶１００の上端リブ１１２との間ｈ１が３０ｍｍとなり、飲料缶用キャップ１０と第１の飲料缶１００の上面とにより囲まれた領域の内容積が、約５６．４ｃｍ３となる。この空間内に景品が収納される。
【００４０】
又、第２係止部１６が、上端リブ１１２の上面よりも若干上方或いはこの上面に接するように配置されるので、第２係止部１６が上端リブ１１２の上端に係り、飲料缶用キャップ１０が更に下方へ押し下げられるのを防止する。
【００４１】
一方、飲料缶用キャップ１０を取り付けた状態から、飲料缶用キャップ１０を若干斜めにしながら上方に引き上げると、切込み部２０を境にして飲料缶用キャップ１０の下縁２８の近傍が外方に若干変形する。すると、第１係止部１４と上端リブ１１２との係合が外れ、飲料缶用キャップ１０を飲料缶１００から容易に取り外すことができる。
【００４２】
したがって、第１の飲料缶１００の蓋部上面に景品を載置し、飲料缶用キャップ１０を取り付けると、飲料缶用キャップ１０の内側（飲料缶用キャップ１０と第１の飲料缶１００の蓋部上面とにより囲まれた領域）に景品が収納される。飲料缶用キャップ１０は、第１係止部１４と上端リブ１１２との係合により、十分な強度で飲料缶１００に取り付けられる。それにより、運搬中や店頭などにおいて、飲料缶用キャップ１０が飲料缶１００から不用意に外れることはない。
【００４３】
又、消費者は、飲料缶１００を購入した後、飲料缶用キャップ１０を引き上げたり、斜めに倒すと、筒体部２４の下部が切込み部２０で変形する。すると、第１係止部１４と上端リブ１１２との係合が外され、これにより、消費者は、飲料缶用キャップ１０を飲料缶１００から無理なく取り外すことができる。飲料缶用キャップ１０を飲料缶１００から取り外したら、消費者は、景品を取り出し、注出口１２６を開放して、飲料缶１００から飲料水を飲むことができる。
【００４４】
飲料缶用キャップ１０を飲料缶１３０に取り付けた場合を、図６に示す。飲料缶１３０に飲料缶用キャップ１０を押し込むと、第１係止部１４は、飲料缶１３０の上端リブ１４２に係合せず通過し、その後、第２係止部１６が上端リブ１４２を弾性的に乗り越え、その下端に係合する。飲料缶用キャップ１０は、第２係止部１６が上端リブ１４２に係合するので、確実に飲料缶１３０に組み付けられる。
【００４５】
このとき、第１係止部１４は、階段状に形成された小径部１４０の下段部に位置する。これにより、第１係止部１４は、飲料缶用キャップ１０が更に下方に押し込められるのを防止する。こうして、景品が飲料缶用キャップ１０の内部に収納される。
【００４６】
飲料缶１３０に飲料缶用キャップ１０を取り付けた場合、飲料缶用キャップ１０の天井部２６の上面と上端リブ１４２との間ｈ２が２５ｍｍであり、飲料缶用キャップ１０と飲料缶１３０の上面とにより囲まれた領域の内容積が約４７ｃｍ３となる。
【００４７】
そして、消費者が、飲料缶用キャップ１０を斜めに倒すと、切込み部２０により、筒体部２４の下縁２８が外方に開き、容易に倒すことができる。すると、第２係止部１６が上端リブ１４２から容易に外され、消費者は、飲料缶用キャップ１０を飲料缶１３０から無理なく取り外すことができる。
【００４８】
以上説明したように、飲料缶用キャップ１０によれば、上端部の形状が異なる飲料缶１００と飲料缶１３０のいずれにも、確実に取り付けられる。そして、取り外すときには、切込み部２０により、飲料缶用キャップ１０の下部が変形し、誰でも、容易に飲料缶から取り外すことができる。
【００４９】
尚、飲料缶用キャップ１０では、第１係止部１４及び第２係止部１６を、それぞれ６か所と８か所に設け、切込み部２０を３か所に形成したが、本発明では、第１係止部１４、第２係止部１６、切込み部２０は、飲料缶用キャップ１０にそれぞれいくつ設けられていてもよい。
【００５０】
図７及び図８に、切込み部２０を６カ所に設けた例を示す。この例のように、多数の切込み部２０を飲料缶用キャップ１１に設けてもよい。又、この例の場合、高さ幅が異なる２種類の切込み部２０が交互に設けられている。飲料缶用キャップ１１は、切込み部２０の数と高さ幅以外は、飲料缶用キャップ１０と同様の構成である。
【００５１】
又、切込み部２０は、逆Ｕ字状でなく、矩形、三角形、丸型等いずれの形状でもよく、更に、単なる切り目でもよい。加えて、弱化部としては、下縁２８の近傍の厚みを部分的に、あるいは全体的に厚みを薄くしても、筒体部２４の下縁２８の近傍の剛性が低下し、外方に開き易くなればよい。薄くする部分の形状は、逆Ｕ字状、矩形、三角形、丸型等どのような形状でもよい。
【００５２】
又、いずれの飲料缶も、胴体部はスチール製でもアルミ製でもよい。又、飲料缶体の胴体部を、底部と一体で成形することがある。その場合には、飲料缶は底板を用いないで形成される。
【産業上の利用可能性】
【００５３】
本発明は、飲料缶用キャップに利用可能である。
【符号の説明】
【００５４】
１０…飲料缶用キャップ、１２…キャップ主部、１４…第１係止部、１６…第２係止部、１８…肉厚部、２０…切込み部、２４…筒体部、２６…天井部、２８…下縁、１００…第１の飲料缶、１０２…第１の飲料缶体、１０４…胴体部、１０６…蓋板、１０８…底板、１１０…小径部、１１２…上端リブ、１１４…下端リブ、１３０…第２の飲料缶、１３２…第２の飲料缶体、１３２…飲料缶体、１３４…胴体部、１３６…蓋板、１４０…小径部、１４２…上端リブ。
【図１】
2015024860.tif 000003
【図２】
2015024860.tif 000004
【図３】
2015024860.tif 000005
【図４】
2015024860.tif 000006
【図５】
2015024860.tif 000007
【図６】
2015024860.tif 000008
【図７】
2015024860.tif 000009
【図８】
2015024860.tif 000010
【図９】
2015024860.tif 000011